(57)【要約】【課題】  カメラを移動する事無く、また簡易な構成でカメラの撮像方向を変更でき、而も施工後であってもカメラ撮像方向を容易に変更することができる。【解決手段】  カメラ７の前面にカメラレンズ７ａと略平行に円盤状のプリズム１を設けた。プリズム１は、カメラ７を保護するカメラカバー２に開口部２１を設けて露出するように配置し、カメラレンズ７ａに平行する面内で回転操作可能とした。プリズム１とケース上９ｂの相互間に、プリズム１を回転した際に複数の異なる角度で位置決めできる切り欠き１８及び突起１９から成る位置決め構造を設け、カメラカバー２は取り外し可能であって施工後であってもプリズム１を回転操作してカメラ７の撮像方向を変更できるようにした。【選択図】  図２
2008035105.tif 000002
【特許請求の範囲】
【請求項１】
カメラの前面にカメラのレンズと略平行に配置した円盤状のプリズムを設け、前記プリズムは、カメラを保護するためのカメラカバーに保持されると共に、前記カメラレンズに平行する面内で回転操作可能であって、
前記プリズムと玄関子機ケースの相互間、または前記プリズムとカメラカバーの相互間に、プリズムをカメラレンズに平行する面内で回転した際に複数の異なる角度で位置決めできる位置決め構造を備え、
前記カメラカバーが取り外し可能に玄関子機ケースに装着されて、前記玄関子ケース前方から前記プリズムを回転操作可能としたことを特徴とするインターホン装置のカメラ付玄関子機。
【請求項２】
前記カメラカバーは、プリズムの偏光面を露出させる開口部を有し、前記プリズムの周囲を保持することを特徴とする請求項１記載のインターホン装置のカメラ付玄関子機。
【請求項３】
前記カメラカバーに隣接する玄関子機ケースの前面に、夜間においても撮像可能にするための照明手段を配したことを特徴とする請求項１又は２記載のインターホン装置のカメラ付玄関子機。
【発明の詳細な説明】
【技術分野】
【０００１】
本発明は、インターホン装置のカメラ付玄関子機に関し、特にカメラのパンチルト機構の改良に関する。
【背景技術】
【０００２】
インターホン装置のカメラ付玄関子機は、設置した玄関の構成や設置した高さによりカメラに収まる来訪者の位置が変わるため、来訪者（の特に顔）が中央に位置するようにカメラの撮像方向を変更できるよう構成されたものがある。従来のこのような構成としては、手動で方向操作するもの（例えば、特許文献１参照）、或いは電動で変更できるようにして居室親機の操作で来訪者に応じてその都度変更できるようにしたものがある（例えば、特許文献２参照）。
【０００３】
【特許文献１】特開昭６３−１２６３８２号公報
【特許文献２】特開２００１−１２８１５６号公報
【発明の開示】
【発明が解決しようとする課題】
【０００４】
しかしながら、手動で実施するものは、主に施工時に実施するもので、施工後は固定した状態で使用されることを前提としているため、施工後にカメラ角度を変更するが難しく、玄関子機を一端取り外す等の作業が必要であった。特許文献１に記載された構成の場合は、カメラを組み付けた基板自体の角度を玄関子機ケース背面の操作部を操作して変えることで、撮像方向を変更する構成であり、ケース内には基板を回転させるためのスペース、更にはそれに伴ってカメラを移動させるスペースが必要であり、ケースが厚くまた大きくなってしまっていた。
一方、上記居室親機からカメラ方向を操作できるものは、使い勝手が良いし便利であるが、カメラ制御機構が必要であるため構造が複雑となり高価なものとなっていた。
【０００５】
そこで、本発明はこのような問題点に鑑み、カメラの移動空間を設ける必要がなく簡易な構成でカメラの撮像方向を変更でき、而も施工後であってもカメラ撮像方向を容易に変更することができるインターホン装置のカメラ付玄関子機を提供することを目的とする。
【課題を解決するための手段】
【０００６】
上記課題を解決する為に、請求項１の発明に係るインターホン装置のカメラ付玄関子機は、カメラの前面にカメラのレンズと略平行に配置した円盤状のプリズムを設け、プリズムは、カメラを保護するためのカメラカバーに保持されると共に、カメラレンズに平行する面内で回転操作可能であって、プリズムと玄関子機ケースの相互間、またはプリズムとカメラカバーの相互間に、プリズムをカメラレンズに平行する面内で回転した際に複数の異なる角度で位置決めできる位置決め構造を備え、カメラカバーが取り外し可能に玄関子機ケースに装着されて、玄関子ケース前方からプリズムを回転操作可能としたことを特徴とする。
この構成により、施工時にプリズムを回転操作することでカメラのパンチルト操作が可能となり、カメラを（カメラが搭載される基盤を）動かすことなく撮像方向の変更を行うことができる。そのため、カメラの移動空間やカメラを取り付けた基板の移動空間を設ける必要がなくなり、玄関子機ケースを薄く小型にできる。また、プリズムはカメラレンズに平行する面内で回転操作する構成であるし、動力源を必要としないため、プリズムをカメラに近づけることができ、プリズム設置空間を僅かなものにできる。
更に、プリズムを複数の角度で固定できるので、玄関子機の設置環境に応じて最良の撮像方向を容易に選択できるし、カメラカバーを操作するだけでプリズムの角度を変更できるので、玄関子機ケースを取り外すような面倒な作業が必要なく、施工後であっても使用者自らプリズムの角度を容易に変更できる。
【０００７】
請求項２の発明は、請求項１に記載の発明において、カメラカバーは、プリズムの偏光面を露出させる開口部を有し、プリズムの周囲を保持することを特徴とする。
この構成により、プリズムは露出するので、プリズム前面の保護部材が不要となりリズムとカメラカバーを合わせた厚みを薄くでき、玄関子機ケースの厚みを更に薄くすることができる。
【０００８】
請求項３の発明は、請求項１又は２に記載の発明において、カメラカバーに隣接する玄関子機ケースの前面に、夜間においても撮像可能にするための照明手段を配したことを特徴する。
この構成により、カメラカバーの外側に照明手段を配置しているので照射した光がカメラカバーに反射してカメラに映り込むことがない。
【発明の効果】
【０００９】
本発明によれば、施工時にカメラを動かすことなく撮像方向の変更を行うことができるので、カメラの移動空間やカメラを取り付けた基板の移動空間を設ける必要がなくなり、玄関子機ケースを薄く小型にできる。また、プリズムはカメラレンズに平行する面内で回転操作する構成であるし、動力源を必要としないため、プリズムをカメラに近づけることができ、プリズム設置空間を僅かなものにできる。
更に、プリズムを複数の角度で固定できるので、玄関子機の設置環境に応じて最良の撮像方向を容易に選択できるし、カメラカバーを操作するだけでプリズムの角度を変更できるので、玄関子機ケースを取り外すような面倒な作業が必要なく、施工後であっても使用者自らプリズムの角度を容易に変更できる。
【発明を実施するための最良の形態】
【００１０】
以下、本発明を具体化した実施の形態を、図面に基づいて詳細に説明する。図１〜図３は、本発明に係るカメラ付玄関子機を示し、図１は正面図、図２はカメラカバーを外した状態の外観図、図３は縦断面図（Ａ−Ａ線断面図）である。これらの図において、１はプリズム、２はカメラカバー、３は照明手段としての発光ダイオード、４はマイク、５はスピーカ、６は呼出ボタン、７は撮像素子を内蔵したカメラ、８は防水用のパッキン、９ａはカメラ付玄関子機の本体であるケース下、９ｂはケース下９ａの前面を閉塞するケース上である。
【００１１】
玄関子機ケースの一部を成すケース上９ｂの前面上部には、カメラカバー２を設置するカメラカバー収容部１１が凹設され、その中央にカメラ７が配置されている。カメラ７は、ケース下９ａに組み付けられた基板１３に搭載され、そのカメラレンズ７ａがカメラカバー収容部１１に開口形成したカメラ配置部１２から露出するよう配置されている。そして、そのカメラ配置部１２を中心に、カメラカバー収容部１１内には円形のプリズム収容部１５がさらに凹設されている。
【００１２】
プリズム収容部１５内には、カメラ配置部１２を囲むようにリング状のパッキン収容部１６が凹設され、ここに収容したパッキン８は、前面に配置されたプリズム１により圧接されてカメラ７を雨水から保護するよう構成されている。
【００１３】
プリズム１は円盤状に形成され、カメラカバー２背部に係合する係合枠１ａがスカート状に周設されている。そして、図３に示すように裏面が傾斜形成され、厚みが一定の方向に一定の割合で連続変化している。この傾斜による屈折率の変化を利用して、プリズム１をカメラレンズ７ａの前面に平行に配置し、平行な面内で回転することで、カメラ７の入射光の屈折方向を変化させて撮像方向が変更されるよう構成されている。
【００１４】
また、係合枠１ａには、プリズム１を位置決めするための切り欠き１８が周囲４方向に等間隔で設けられ、対応するケース上９ｂのプリズム収容部１５の周囲壁部の４箇所には、切り欠き１８に係合する突起１９が同様に４箇所設けられている。この切り欠き１８と突起１９から成る位置決め構造により、プリズム１は、９０度回転する毎に固定することができる。
【００１５】
カメラカバー２は、プリズム１を露出させる開口部２１を備え、Ｌ字状に折り曲げられた上辺の端部と前面下部の双方にケース上９ｂに係止させる係止部材２２が設けられている。上辺に設けられた係止部材２２はケース上９ｂに設けた凹部（図示せず）に係合する突起片２２ａであり、下部に設けられた係止部材２２はケース上９ｂに設けられた係止孔２３に挿入係止される爪片２２ｂである。この爪片２２ｂと係止孔２３との係止作用は、カメラカバー２を前方へ引き出す操作を行うことで係止解除可能となっている。突起片２２ａと爪片２２ｂは夫々一対設けられている。
【００１６】
そして、プリズム１のカメラカバー２から露出する部分の厚み（係合枠１ａからの高さ）は、カメラカバー２と同一の厚みで形成され、プリズム１の前面とカメラカバー２前面が面一になるよう形成されている。また、カメラカバー収容部１１は、カメラカバー２の厚みに合わせた深さで形成され、ケース上９ｂの前面とカメラカバー２の前面とが面一になるよう形成されている。
こうして、プリズム１とカメラカバー２が一体化され、更にカメラカバー２とケース上９ｂとが一体化された形状を有し、カメラカバー２に開口部が設けられていても、外観上違和感が無く、美観的にも好ましい形状となっている。
【００１７】
このように、施工時にプリズムを回転操作することでカメラのパンチルト操作ができるので、カメラを（カメラが搭載される基盤を）動かすことなく撮像方向の変更を行うことができる。そのため、カメラの移動空間やカメラを取り付けた基板の移動空間を設ける必要がなくなり、玄関子機ケースを薄く小型にできる。具体的に、プリズムの大きさの一例を示すと、厚さが５ｍｍ、直径が３０ｍｍであり、カメラカバー２の厚みを考慮すると、カメラ前に３ｍｍ程度の空間があれば本発明の構成の要部を成すプリズムを組み付けることができる。
【００１８】
また、プリズムはカメラレンズに平行する面内で回転操作する構成であるし、動力源を必要としないため、プリズムをカメラに近づけることができ、プリズム設置空間を僅かなものにできる。
更に、プリズムを複数の角度で固定できるので、玄関子機の設置環境に応じて最良の撮像方向を容易に選択できるし、カメラカバーを操作するだけでプリズムの角度を変更できるので、玄関子機ケースを取り外すような面倒な作業が必要なく、施工後であっても使用者自らプリズムの角度を容易に変更できる。
また、プリズムをカメラカバーから露出させることで、プリズムとカメラカバーを合わせた厚みを薄くでき玄関子機ケースの厚みを更に薄くすることができる。
【００１９】
また、カメラカバーを開けるだけでプリズムの角度を変更できるので、玄関子機ケースを取り外すような面倒な作業が必要なく容易に角度変更ができ、使用者自らプリズム操作が可能となり使い勝手がよい。
更に、カメラカバーの外側に照明手段を配置しているので照射した光がカメラカバー等に反射してカメラに映り込むことがない。
【００２０】
尚、上記実施形態は、プリズム１の位置決めを９０°毎（４分の１回転毎）に実施可能としているが、少なくとも切り欠き１８をさらに多く、例えば３６個設ければ１０°毎の回転で位置決めでき、更に細かい角度制御が可能となる。
また、プリズム１はカメラカバー２に開口部２１を設けて露出させているが、開口部２１を設けずにプリズム１全体をカメラカバーで覆っても良い。覆うことで、より雨水が浸入し難い構造とすることができる。
更に、撮像範囲を上下左右に変更するのではなく、ズームイン、ズームアウト用のレンズを備えたカメラを用いれば、撮像される映像の拡大縮小を自由に行うことができる。
また、プリズム１の位置決め構造を玄関子機ケース（ケース上９ｂ）との間に設けているが、カメラカバー２との間に設けても良い。
【図面の簡単な説明】
【００２１】
【図１】本発明に係るインターホン装置のカメラ付玄関子機の実施形態の一例を示す正面図である。
【図２】図１のカメラ付玄関子機のカメラカバーを外した状態の外観図である。
【図３】図１のＡ−Ａ線断面図である。
【符号の説明】
【００２２】
１・・プリズム、２・・カメラカバー、３・・発光ダイオード、７・・カメラ、７ａ・・カメラレンズ、９ａ・・ケース上、１１・・カメラカバー収容部、１５・・プリズム収容部、１８・・切り欠き、１９・・突起、２１・・開口部、２２・・係止部材。
【図１】
2008035105.tif 000003
【図２】
2008035105.tif 000004
【図３】
2008035105.tif 000005